(57)【特許請求の範囲】
【請求項１】
無線通信システムにおいて基地局で、データを送信する方法であって、
前記方法は、
フレームの第１領域を通じて、第１システムを支援する第１端末にダウンリンクデータを送信することと、
時間軸において前記第１領域よりもフレームオフセットだけ後に位置する第２領域を通じて、第２システムを支援する第２端末にダウンリンクデータを送信することとを含み、
前記第１領域は、奇数個の直交周波数分割多重（ＯＦＤＭ）シンボルを含み、前記フレームオフセットは、前記第１システム用フレームの始点と前記第２システム用フレームの始点との間のオフセットであり、
前記フレームオフセットは、サブフレームの数として定義され、
前記第１領域のＯＦＤＭシンボルの数は、（前記フレームオフセット＊６−１）または（５＋６＊（前記フレームオフセット−１））である、方法。
【請求項２】
前記無線通信システムは、６個のＯＦＤＭシンボルを含むタイプ第１サブフレーム及び５個のＯＦＤＭシンボルを含むタイプ第３サブフレームを支援する、請求項１に記載の方法。
【請求項３】
前記第１領域は、前記フレームオフセットが１であるとき、タイプ第３サブフレームを含む、請求項１に記載の方法。
【請求項４】
前記第１領域は、前記フレームオフセットが２であるとき、タイプ第１サブフレームとタイプ第３サブフレームとを含む、請求項１に記載の方法。
【請求項５】
前記第１領域の第１サブフレームは、前記タイプ第３サブフレームである、請求項４に記載の方法。
【請求項６】
前記第１領域の２番目のＯＦＤＭシンボル及び３番目のＯＦＤＭシンボルは、ＰＵＳＣ（ｐａｒｔｉａｌ  ｕｓａｇｅ  ｏｆ  ｓｕｂｃｈａｎｎｅｌ）方式で副チャネル化されている、請求項１に記載の方法。
【請求項７】
無線通信システムにおいて端末で、データを受信する方法であって、
前記方法は、
前記端末によって支援される第２システムとは異なる第１システムを支援する別の端末にダウンリンクデータを送信するために用いられるフレームの第１領域よりもフレームオフセットだけ後に位置する前記フレームの第２領域を通じてダウンリンクデータを受信することを含み、
前記第１領域は、奇数個の直交周波数分割多重（ＯＦＤＭ）シンボルを含み、前記フレームオフセットは、前記第１システム用フレームの始点と前記第２システム用フレームの始点との間のオフセットであり、
前記フレームオフセットは、サブフレームの数として定義され、
前記第１領域のＯＦＤＭシンボルの数は、（前記フレームオフセット＊６−１）または（５＋６＊（前記フレームオフセット−１））である、方法。
【請求項８】
前記無線通信システムは、６個のＯＦＤＭシンボルを含むタイプ第１サブフレーム及び５個のＯＦＤＭシンボルを含むタイプ第３サブフレームを支援する、請求項７に記載の方法。
【請求項９】
前記第１領域は、前記フレームオフセットが１であるとき、タイプ第３サブフレームを含む、請求項７に記載の方法。
【請求項１０】
前記第１領域は、前記フレームオフセットが２であるとき、タイプ第１サブフレーム及びタイプ第３サブフレームを含む、請求項７に記載の方法。
【請求項１１】
前記第１領域の第１サブフレームは、前記タイプ第３サブフレームである、請求項１０に記載の方法
【発明の詳細な説明】
【技術分野】
【０００１】
本発明は、無線通信システムに係り、特に、無線通信システムでデータを送信及び受信する方法に関するものである。
【背景技術】
【０００２】
近年、ＩＥＥＥ  ８０２．１６ｍシステムの標準化が進行中であるが、ＩＥＥＥ  ８０２．１６ｍシステムが商用化する時点には、従来のＩＥＥＥ  ８０２．１６ｅ端末が多く普及されている状況になるであろう。したがって、ＩＥＥＥ  ８０２．１６ｍシステムは、ＩＥＥＥ  ８０２．１６ｅシステムと互換性を保つように標準化することが必要であるとともに、ＩＥＥＥ  ８０２．１６ｍシステムは８０２．１６ｅ端末を支援できるようなフレーム構造とすることが必要である。
【０００３】
ＩＥＥＥ  ８０２．１６ｍシステムのフレームは、複数のサブフレームを含み、サブフレームは、周波数軸では複数の副搬送波（ｓｕｂｃａｒｒｉｅｒ）を含み、時間軸では複数のＯＦＤＭシンボルを含む。一つのフレームに含まれる複数のサブフレームの一部は、アップリンクデータを送信するのに用いられ、残りはダウンリンクデータを送信するのに用いられる。
【０００４】
ＩＥＥＥ  ８０２．１６ｅ端末を支援するために、ＩＥＥＥ  ８０２．１６ｍシステムは、ダウンリンクサブフレームの一部をＩＥＥＥ  ８０２．１６ｍシステム用にし、残りはＩＥＥＥ  ８０２．１６ｅシステム用にすることができる。ＩＥＥＥ  ８０２．１６ｍシステム用に用いられる領域を、ワイヤレスＭＡＮ  ＯＦＤＭＡダウンリンク領域（Ｗｉｒｅｌｅｓｓ  ｍｅｔｒｏｐｏｌｉｔａｎ  ａｒｅａ  ｎｅｔｗｏｒｋｓ  ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ  ｄｏｗｎｌｉｎｋ  ｚｏｎｅ；以下、“Ｗｉｒｅｌｅｓｓ  ＭＡＮ  ＯＦＤＭＡ  ＤＬ  Ｚｏｎｅ”という。）とし、ＩＥＥＥ  ８０２．１６ｅシステム用に用いられる領域を、アドバンストエアーインターフェースダウンリンク領域（Ａｄｖａｎｃｅｄ  Ａｉｒ  Ｉｎｔｅｒｆａｃｅ  ｄｏｗｎｌｉｎ  ｋｚｏｎｅ；以下、“Ａｄｖａｎｃｅｄ  Ａｉｒ  Ｉｎｔｅｒｆａｃｅ  ＤＬ  Ｚｏｎｅ”という。）とする。
【０００５】
従来技術に係るＩＥＥＥ  ８０２．１６ｍシステムにおけるダウンリンクフレーム構造について、図１及び図２を参照して説明する。
【０００６】
図１は、フレームオフセット（ｆｒａｍｅ  ｏｆｆｓｅｔ）が１である場合、従来技術に係るダウンリンクフレーム構造を示す図であり、図２は、フレームオフセットが２の場合、従来技術に係るダウンリンクフレーム構造を示す図である。
【０００７】
従来技術に係るフレームオフセットは、ＩＥＥＥ  ８０２．１６ｅシステム用フレームの始点とＩＥＥＥ  ８０２．１６ｍシステム用フレームの始点との間のオフセットを、サブフレーム単位に定義したものである。ところが、ＩＥＥＥ  ８０２．１６ｍシステム用フレームが少なくとも一つのダウンリンクサブフレームを含むようになり、よって、フレームオフセットは、１以上ダウンリンクサブフレームの個数未満の整数となる。例えば、一つのフレームが５個のダウンリンクサブフレームを含む場合、フレームオフセットは１以上５未満の整数となる。
【０００８】
ＩＥＥＥ  ８０２．１６ｍシステムのサブフレームには、３通りのタイプがある。タイプ１は、６個のＯＦＤＭシンボルを含み、タイプ２は、７個のＯＦＤＭシンボルを含み、タイプ３は、５個のＯＦＤＭシンボルを含む。
【０００９】
図１及び図２に示すように、従来技術に係るフレーム構造においてフレームオフセットは、タイプ１のサブフレームと定義される。すなわち、図１で、Ｗｉｒｅｌｅｓｓ  ＭＡＮ  ＯＦＤＭＡ  ＤＬ  Ｚｏｎｅは６個のＯＦＤＭシンボルを含み、図２で、Ｗｉｒｅｌｅｓｓ  ＭＡＮ  ＯＦＤＭＡ  ＤＬ  Ｚｏｎｅは１２個のＯＦＤＭシンボルを含む。そして、ＩＥＥＥ  ８０２．１６ｅシステム用フレームの１番目のＯＦＤＭシンボルにはプリアンブルが割り当てられ、２番目と３番目のＯＦＤＭシンボルには、ＦＣＨとＤＬ−ＭＡＰが割り当てられる。
【００１０】
そして、ＩＥＥＥ  ８０２．１６ｅシステムの副チャネル化（ｓｕｂｃｈａｎｎｅｌｉｚａｔｉｏｎ）方法には、部分使用副チャネル（ｐａｒｔｉａｌ  ｕｓａｇｅ  ｏｆ  ｓｕｂｃｈａｎｎｅｌ；以下、“ＰＵＳＣ”という。）、全体使用副チャネル（ｆｕｌｌ  ｕｓａｇｅ  ｏｆ  ｓｕｂｃｈａｎｎｅｌ；以下、“ＦＵＳＣ”という。）及び適応的変調及びコーディング（ａｄａｐｔｉｃｅ  ｍｏｄｕｌａｔｉｏｎ  ａｎｄ  ｃｏｄｉｎｇ；以下、“ＡＭＣ”という。）方法がある。ＰＵＳＣは、２個のＯＦＤＭシンボルからなり、ＦＵＳＣは１個のＯＦＤＭシンボルからなり、ＡＭＣは３個のＯＦＤＭシンボルからなる。そして、ＦＣＨとＤＬ−ＭＡＰが割り当てられる２番目及び３番目のＯＦＤＭシンボルは、ＰＵＳＣで副チャネル化する。
【００１１】
したがって、図１及び図２を参照すると、Ｗｉｒｅｌｅｓｓ  ＭＡＮ  ＯＦＤＭＡ  ＤＬ  Ｚｏｎｅにおいて、プリアンブル、ＦＣＨ、及びＤＬ−ＭＡＰの割り当てられた部分以外の残りの部分に奇数個のＯＦＤＭシンボルが存在する。
【００１２】
しかしながら、奇数個のＯＦＤＭシンボルは、副チャネル化する時、ＦＵＳＣまたはＢａｎｄ−ＡＭＣ方法を用いなければならない。したがって、副チャネル化方法が変わったことを知らせるために制御メッセージを端末に送らなければならず、ＰＵＳＣで副チャネル化する途中で他の方法で副チャネル化する場合には、連続してリソースを使用できなくなるという不具合がある。
【発明の概要】
【発明が解決しようとする課題】
【００１３】
上述した通り、従来技術に係るフレーム構造は、副チャネル化方法の変更を端末に知らせるために制御メッセージを送らなければならず、オーバーヘッドが増加し、なお、副チャネル化方法が変更されるため、連続してリソースを使用することができず、無線リソースの浪費を招くという問題点があった。
【００１４】
本発明の目的は、無線通信システムの効率を向上させることができるフレーム構造を用いたデータ送信方法を提供することにある。
【００１５】
本発明の目的は、オーバーヘッドを軽減し、無線リソースを效率的に使用できるデータ送信方法を提供することにある。
【００１６】
本発明で解決しようとする技術的課題は、以上で言及した技術的課題に制限されず、言及していない別の技術的課題は、下の記載から、本発明の属する技術分野における通常の知識を有する者には明確に理解されるであろう。
【課題を解決するための手段】
【００１７】
上記課題を達成するために、本発明の一様相に係る無線通信システムにおけるデータ送信方法において、基地局は、フレームの第１領域を通じて、第１システムを支援する第１端末にダウンリンクデータを送信し、時間軸において前記第１領域よりもフレームオフセットだけ後に位置する第２領域を通じて、第２システムを支援する第２端末にダウンリンクデータを送信し、前記第１領域は、奇数個のＯＦＤＭシンボルを含み、前記フレームオフセットは、前記第１システム用フレームの始点と前記第２システム用フレームの始点とのオフセットである。
【００１８】
上記課題を達成するために、本発明の他の様相に係る無線通信システムにおけるデータ受信方法において、端末は、前記端末が支援するシステムと異なるシステムを支援する端末にダウンリンクデータを送信するために使用されるフレームの第１領域よりもフレームオフセットだけ後に位置する前記フレームの第２領域を通じてダウンリンクデータを受信し、前記第１領域は、奇数個のＯＦＤＭシンボルを含み、前記フレームオフセットは、前記第１システム用フレームの始点と前記第２システム用フレームの始点とのオフセットである。
【００１９】
ここで、前記フレームオフセットは整数と定義され、前記第１システム用フレームの始点と前記第２システム用フレームの始点との間のＯＦＤＭシンボルの個数は、（前記フレームオフセット＊６−１）または５＋６＊（フレームオフセット−１）でよい。
【００２０】
また、前記無線通信システムは、６個のＯＦＤＭシンボルを含む第１タイプサブフレーム及び５個のＯＦＤＭシンボルを含む第２タイプサブフレームを支援し、前記フレームオフセットは、サブフレームと定義され、前記第１領域の最初のサブフレームは、前記第２タイプサブフレームであれはよい。
（項目１）
無線通信システムにおいて基地局からデータを送信する方法であって、
フレームの第１領域を通じて、第１システムを支援する第１端末にダウンリンクデータを送信し、
時間軸において前記第１領域よりもフレームオフセットだけ後に位置する第２領域を通じて、第２システムを支援する第２端末にダウンリンクデータを送信すること、
を含み、
前記第１領域は、奇数個のＯＦＤＭシンボルを含み、前記フレームオフセットは、前記第１システム用フレームの始点と前記第２システム用フレームの始点とのオフセットである、データ送信方法。
（項目２）
前記フレームオフセットは、整数と定義され、前記第１システム用フレームの始点と前記第２システム用フレームの始点との間のＯＦＤＭシンボルの個数は、（前記フレームオフセット＊６−１）または（５＋６＊（前記フレームオフセット−１））であることを特徴とする、項目１に記載のデータ送信方法。
（項目３）
前記無線通信システムは、６個のＯＦＤＭシンボルを含む第１タイプサブフレーム及び５個のＯＦＤＭシンボルを含む第２タイプサブフレームを支援することを特徴とする、項目１に記載のデータ送信方法。
（項目４）
前記フレームオフセットは、サブフレーム単位と定義され、前記第１領域の１番目のサブフレームは、前記第２タイプサブフレームであることを特徴とする、項目３に記載のデータ送信方法。
（項目５）
前記第１領域の２番目のＯＦＤＭシンボル及び３番目のＯＦＤＭシンボルは、ＰＵＳＣ（ｐａｒｔｉａｌ  ｕｓａｇｅ  ｏｆ  ｓｕｂｃｈａｎｎｅｌ）方式で副チャネル化していることを特徴とする、項目１に記載のデータ送信方法。
（項目６）
無線通信システムにおいて端末がデータを受信する方法であって、
前記端末が支援するシステムと異なるシステムを支援する端末にダウンリンクデータを送信するために用いられるフレームの第１領域よりもフレームオフセットだけ後に位置する前記フレームの第２領域を通じてダウンリンクデータを受信すること、を含み、
前記第１領域は、奇数個のＯＦＤＭシンボルを含み、前記フレームオフセットは、前記第１システム用フレームの始点と前記第２システム用フレームの始点とのオフセットであるデータ受信方法。
（項目７）
前記フレームオフセットは整数と定義され、前記第１システム用フレームの始点と前記第２システム用フレームの始点との間のＯＦＤＭシンボルの個数は、（前記フレームオフセット＊６−１）または（５＋６＊（前記フレームオフセット−１））であることを特徴とする、項目６に記載のデータ受信方法。
（項目８）
前記無線通信システムは、６個のＯＦＤＭシンボルを含む第１タイプサブフレーム及び５個のＯＦＤＭシンボルを含む第２タイプサブフレームを支援することを特徴とする、項目６に記載のデータ受信方法。
（項目９）
前記フレームオフセットは、サブフレーム単位と定義され、前記第１領域の１番目のサブフレームは、前記第２タイプサブフレームであることを特徴とする、項目８に記載のデータ受信方法。
【発明の効果】
【００２１】
本発明の実施例によれば、下記のような効果が得られる。
【００２２】
第一に、フレームオフセットに５個のＯＦＤＭシンボルを含むサブフレームを含めることによって、全てのＯＦＤＭシンボルを一つの方法で副チャネル化でき、オーバーヘッドを減らすことができる。
【００２３】
第二に、フレームオフセットに６の倍数−１個のＯＦＤＭシンボルを含めることによって、無線リソースを效率的に用いることができる。
【００２４】
本発明から得られる効果は、以上に言及した効果に制限されず、言及していない他の効果は、下の記載から、本発明の属する技術の分野における通常の知識を有する者にとっては明確に理解されるであろう。
【図面の簡単な説明】
【００２５】
【図１】フレームオフセット（ｆｒａｍｅ  ｏｆｆｓｅｔ）が１の場合、従来技術に係るダウンリンクフレーム構造を示す図である。
【図２】フレームオフセットが２の場合、従来技術に係るダウンリンクフレーム構造を示す図である。
【図３】本発明の実施例に係る無線通信システムのフレーム構造を示す図である。
【図４】本発明の実施例に係る無線通信システムのＴＤＤフレーム構造を示す図である。
【図５】フレームオフセットが１の場合、本発明の実施例に係るダウンリンクフレーム構造を示す図である。
【図６】フレームオフセットが２の場合、本発明の実施例に係るダウンリンクフレーム構造を示す図である。
【発明を実施するための形態】
【００２６】
以下、添付の図面を参照しつつ、本発明の実施例について、本発明の属する技術の分野における通常の知識を有する者が容易に実施できるように詳細に説明する。しかし、本発明は、ここに説明する実施例に限定されるものではなく、様々な形態に具現することができる。そして、図面において、本発明をより明確にするために、説明と関連していない部分は省略し、明細書全体を通じて類似の部分には類似の図面符号を付ける。
【００２７】
明細書全体において、ある部分がある構成要素を“含む”とすれば、これは、特に明示しない限り、他の構成要素を除外するという意味ではなく、他の構成要素をさらに含むことができるということを意味する。また、明細書に記載された“…部”、“…器”、“モジュール”などの用語は、少なくとも一つの機能や動作を処理する単位を意味し、これは、ハードウェア、ソフトウェア、またはハードウェアとソフトウェアとの結合で具現することができる。
【００２８】
まず、本発明の実施例に係る無線通信システムのフレーム構造について、図３を参照して説明する。図３は、本発明の実施例に係る無線通信システムのフレーム構造を示す図である。
【００２９】
図３に示すように、スーパーフレームは、スーパーフレームヘッダー（Ｓｕｐｅｒｆｒａｍｅ  ｈｅａｄｅｒ、ＳＦＨ）から始まり、４個のフレームを含む。そして、フレームは８個のサブフレームを含む。
【００３０】
サブフレームは、周波数軸上の複数のサブキャリアと時間軸上の複数のＯＦＤＭシンボルを含む。サブフレームは、時間軸上では５個、６個または７個のＯＦＤＭシンボルを含むことができる。サブフレームが含むＯＦＤＭシンボルの個数によって、サブフレームを３通りのタイプに分類することができる。タイプ１サブフレームは、６個のＯＦＤＭシンボルを含み、タイプ２サブフレームは、７個のＯＦＤＭシンボルを含み、タイプ３サブフレームは、５個のＯＦＤＭシンボルを含む。
【００３１】
そして、一つのフレームに含まれた８個のサブフレームを、アップリンクまたはダウンリンク送信のために用いることができ、アップリンク送信のための部分とダウンリンク送信のための部分は周波数分割二重化（ｆｒｅｑｕｅｎｃｙ  ｄｉｖｉｓｉｏｎ  ｄｕｐｌｅｘｉｎｇ；以下、“ＦＤＤ”という。）または時間分割二重化（ｔｉｍｅ  ｄｉｖｉｓｉｏｎ  ｄｕｐｌｅｘｉｎｇ；以下、“ＴＤＤ”という。）することができる。アップリンク送信のための部分とダウンリンク送信のための部分とがＦＤＤで二重化されているフレームを、ＦＤＤフレームといい、アップリンク送信のための部分とダウンリンク送信のための部分とがＴＤＤで二重化されているフレームを、ＴＤＤフレームという。
【００３２】
本発明の実施例は、アップリンク送信のための部分とダウンリンク送信のための部分とがＴＤＤで二重化されているフレームを通じて、第１システムを支援する端末及び第２システムを支援する端末にダウンリンクデータを送信する方法に関するものである。
【００３３】
したがって、本発明の実施例に係る無線通信システムのＴＤＤフレーム構造について、図４を参照して説明する。図４は、本発明の実施例に係る無線通信システムのＴＤＤフレーム構造を示す図である。
【００３４】
ＴＤＤフレームは、フレームを時間軸においてダウンリンク送信のための領域とアップリンク送信のための領域とに分けたものである。すなわち、フレームが含む複数のサブフレームの一部サブフレームをダウンリンク送信のために使用し、残りのサブフレームをアップリンク送信のために使用する。ダウンリンクとアップリンクとの比率によって、ダウンリンク送信のために使用されるサブフレームの個数とアップリンク送信のために使用されるサブフレームの個数が決定される。その一例に、図４に示すように、１個のフレームが含む８個のサブフレームのうち、前の部分の５個のサブフレームは、ダウンリンク送信のために使用され、後の部分の３個のサブフレームはアップリンク送信のために使用されてよい。
【００３５】
ダウンリンクサブフレームとアップリンクサブフレームとの間にはスイッチングタイム（ｓｗｉｔｃｈｉｎｇ  ｔｉｍｅ）がある。
【００３６】
次に、本発明の実施例に係る無線通信システムの基地局から、第１システムを支援する端末と第２システムを支援する端末にデータを送信する方法について説明する。
【００３７】
本発明の実施例に係る無線通信システムでは、フレームに含まれた複数のダウンリンクサブフレームを、第１領域と第２領域とに分け、第１領域を通じて、第１システムを支援する端末にダウンリンク信号を送信し、第２領域を通じて、第２システムを支援する端末にダウンリンク信号を送信する。
【００３８】
本発明の実施例に係るダウンリンクフレーム構造について、図５及び図６を参照して説明する。
【００３９】
図５は、フレームオフセット（ｆｒａｍｅ  ｏｆｆｓｅｔ）が１の場合、本発明の実施例に係るダウンリンクフレーム構造を示す図であり、図６は、フレームオフセットが２の場合、本発明の実施例に係るダウンリンクフレーム構造を示す図である。フレームオフセットは、第１システム用フレームの始点と第２システム用フレームの始点との間のオフセットである。
【００４０】
図５及び図６で、横軸は時間を表し、‘ｐ’は、第１システムのプリアンブルを表し、‘ＰＵＳＣ’は、ＰＵＳＣで副チャネル化したシンボルを表す。そして、第１領域は、第１システムを支援する端末と通信するための領域であり、第２領域は、第２システムを支援する端末と通信するための領域である。そして、第１システム用フレームは、第１領域の１番目のＯＦＤＭシンボルから始まり、第２システム用フレームは、第２領域の１番目のＯＦＤＭシンボルから始まる。
【００４１】
図５及び図６に示すように、ダウンリンクは２９個のＯＦＤＭシンボルを含み、第１領域は、６＊ｎ−１個のＯＦＤＭシンボルを含む。ここで、ｎは、１以上３以下の整数である。すなわち、図１で第１領域は５個のＯＦＤＭシンボルを含み、図２で第２領域は１１個のＯＦＤＭシンボルを含む。
【００４２】
第１領域は、先頭部にタイプ３サブフレームを含む。フレームオフセットが１の場合は、図５に示すように、第１領域は１個のタイプ３サブフレームを含み、フレームオフセットが２の場合は、図６に示すように、第１領域は１個のタイプ３サブフレーム及び１個のタイプ１サブフレームを含む。そして、フレームオフセットが１ずつ増えるにつれて、第１領域に含まれるタイプ１サブフレームの個数が１個ずつ増加する。すなわち、フレームオフセットは、タイプ３サブフレームを含み、タイプ１サブフレームをさらに含むことができる。
【００４３】
したがって、本発明の実施例に係るフレームオフセットは、２通りの方式で定義することができる。
【００４４】
第一の方式によれば、フレームオフセットは、整数と定義された第１システム用フレームの始点と第２システム用フレームの始点との間のオフセットであり、フレームオフセットがｎの時、第１システム用フレームの始点と第２システム用フレームの始点との間のＯＦＤＭシンボルが、６＊ｎ−１個または５＋６＊（ｎ−１）である。
【００４５】
第二の方式によれば、フレームオフセットは、サブフレーム単位で定義された第１システム用フレームの始点と第２システム用フレームの始点との間のオフセットであり、第１領域の最初のダウンリンクサブフレームは、タイプ３サブフレームである。
【００４６】
図５及び図６を参照すると、第１領域においてプリアンブル、ＦＣＨ、及びＤＬ−ＭＡＰの割り当てられた部分を除く残りの部分に、偶数個のＯＦＤＭシンボルが存在する。したがって、第１領域における全てのＯＦＤＭシンボルをＰＵＳＣ方式で副チャネル化することができる。
【００４７】
本発明による実施例は様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例に係るデータ送信及び受信方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００４８】
ファームウェアやソフトウェアによる具現の場合、本発明の一実施例に係るデータ送信及び受信方法は、以上で説明された機能または動作を行うモジュール、手順、関数などの形態で具現されることができる。ソフトウェアコードは、メモリユニットに記憶されて、プロセッサにより駆動されることができる。メモリユニットは、プロセッサの内部または外部に設けられ、既に公知の様々な手段によりプロセッサとデータを交換することができる。
【００４９】
本発明は、本発明の特徴を逸脱しない範囲で別の特定の形態に具体化可能であるということは、当業者にとっては自明である。したがって、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【００５０】
特許請求の範囲において明示的な引用関係を有しない請求項を結合して実施例を構成したり、出願後の補正により新しい請求項として含めたりすることができることは明らかである。
【図１】
0005255709.tif 000002
【図２】
0005255709.tif 000003
【図３】
0005255709.tif 000004
【図４】
0005255709.tif 000005
【図５】
0005255709.tif 000006
【図６】
0005255709.tif 000007